(57)【特許請求の範囲】
【請求項１】
互いに嵌合しあっている二つの差し込み部分（３，５）を有し、一方の差し込み部分（３）が弾性板としての弾性接点（２）を備えるように、そして他の差し込み部分（５）が刃状板としての刃状接点（４）を備えるように構成され、接点を接触させる操作装置が、連結リンクガイドと協働し且つ両差し込み部分（３，５）の長手方向に直線運動可能なスライダ（１０）を有し、スライダ（１０）が、一方の差し込み部分（３）に配置され、且つ他の差し込み部分（５）の方向へ突出するスライダウェブ（１１）に、両差し込み部分（３，５）の長手方向におけるスライダ（１０）の運動方向（２４）に傾斜して延びる少なくとも一つの長穴（１２，１３）を有し、長穴（１２，１３）が、スライダウェブ（１１）上にて強制的に案内され往復動可能な連結リンク（１５）の横ピン（１４）を収容している簡易操作型電気接触プラグ装置において、
スライダ（１０）がＴ字状の横断面を有し、スライダウェブ（１１）にたいして横に延びているスライダ足部（９）が、差し込み部分（３）の底部（６）の縦溝（７）で案内されていることを特徴とする簡易操作型電気接触プラグ装置。
【請求項２】
縦長角体状で、横断面がＵ字状に形成された刃状板差し込み部分（５）は、その開口側を、該差し込み部分（５）に対向し形状が適合するように横断面がＵ字状に形成された弾性板差し込み部分（３）に差し込まれていることを特徴とする、請求項１に記載の簡易操作型電気接触プラグ装置。
【請求項３】
スライダウェブ（１１）が、互いに間隔を持って直列に配置され斜めに傾斜している二つの長穴（１２，１３）を備えるように構成され、これら二つの長穴（１２，１３）がそれぞれ連結リンク（１５）の横ピン（１４）を収容していることを特徴とする、請求項１または２に記載の簡易操作型電気接触プラグ装置。
【請求項４】
弾性板差し込み部分（３）の弾性接点（２；１０２）に、連結リンク（１５；１１５）に設けられる案内スリット（１６）が付設され、該案内スリット（１６）が、弾性接点（２；１０２）に接しているスリット壁（１８）に、接触運動方向（１９）に上昇する傾斜部（２０；１２０）を備えるように構成されていることを特徴とする、請求項１から３までのいずれか１つに記載の簡易操作型電気接触プラグ装置。
【請求項５】
傾斜部（２０）のあとに、終端位置において弾性接点（２）をロックする窪み（２１）が配置されていることを特徴とする、請求項４に記載の簡易操作型電気接触プラグ装置。
【請求項６】
刃状接点（４）の下端が、刃状板差し込み部分（５）のケーシングの下縁（２５）のすぐ近くまで達していることを特徴とする、請求項１から５までのいずれか１つに記載の簡易操作型電気接触プラグ装置。
【発明の詳細な説明】
【０００１】
【発明の属する技術分野】
本発明は、互いに嵌合しあっている二つの差し込み部分を有し、一方の差し込み部分が弾性板としての弾性接点を備えるように、そして他の差し込み部分が刃状板としての刃状接点を備えるように構成され、接点を接触させる操作装置が、連結リンクガイドと協働し且つ両差し込み部分の長手方向に直線運動可能なスライダを有し、スライダが、一方の差し込み部分に配置され、且つ他の差し込み部分の方向へ突出するスライダウェブに、両差し込み部分の長手方向におけるスライダの運動方向に傾斜して延びる少なくとも一つの長穴を有し、長穴が、スライダウェブ上にて強制的に案内され往復動可能な連結リンクの横ピンを収容している簡易操作型電気接触プラグ装置に関するものである。
【０００２】
ここで「簡易操作型」とは、例えば、ほとんど力を要せずに( Nullkraft )二つの互いに嵌合しあっている差し込み部分の脱着ができるタイプのものを言う。
【０００３】
【従来の技術】
この種の公知の電気接触プラグ装置では、それぞれの接触要素は一列で、または互いに平行な複数の列で土台によって保持されており、両差し込み部分の嵌合状態においては、列に沿って変位可能な接触スライダにより個々の接触要素を断続させることができる。このような簡易操作型電気接触プラグ装置の特徴は、互いに接触する接触要素のなんらかの押圧力を克服せずとも、両差し込み部分を互いに作用結合させたり、取り外したりできる点にある。この場合接触要素はいわゆる刃状接点として構成されており、定置の組み付け差し込み部分のなかに配置されている。これにたいして、可動な差し込み部分のなかに配置される接触要素は弾性接点として構成されている。このような接触プラグ装置は、接触要素が互いに弾性により接触しているかぎりは、常に両差し込み部分の形状拘束的な連結を保証し、他方個々の接触要素の接触が解除されると、両差し込み部分の嵌合、引き離ししかできないことをも保証している。
【０００４】
ドイツ特許第２７０７１２２号公報によって知られるようになったこの種の簡易操作型接触プラグにおいては、弾性接点と刃状接点とはそれぞれ基台によりケーシング内及び（または）板上で保持されている。個々のケーシング及び（または）板は、相互の案内のもとに嵌合させることができ、その時スライダを操作することにより、補完的な接触要素を互いに接触、引き離しすることができる。このため、接触保持部で案内されるスライダは案内ダクトを有し、この案内ダクトにはスライドの際にカム部材の突起が係合し、カム部材はスライド終端位置において弾性接点を刃状接点と接触させる。さらに、一方の差し込み部分が導電板によって形成されることも知られている。導電板の接触要素は、他方の差し込み部分の縦スリットを通って、該他方の差し込み部分の接触要素（例えば弾性接点）の領域にもたらすことができる。
【０００５】
【発明が解決しようとする課題】
本発明の課題は、構成が簡潔で、作動安定性が改善された、冒頭で述べた種類の簡易操作型接触プラグを提供することである。
【０００６】
【課題を解決するための手段】
本発明は、上記課題を解決するため、スライダがＴ字状の横断面を有し、スライダウェブにたいして横に延びているスライダ足部が、差し込み部分の底部の縦溝で案内されていることを特徴とするものである。
【０００７】
本発明によれば、非接触位置では、スライダ足部は接触プラグ装置の操作側とは逆の側で縦溝から舌片状に突出しており、一方スライダウェブは、両差し込み部分の間に収納された位置に不変に留まる。スライダウェブはスライダ足部とともに操作側においてのみプラグ装置からレバー状に突出しているにすぎない。したがって、互いに嵌合している差し込み部分の外側にある操作装置（例えば手動レバー、或いはスライダの位置調整を行なうための動力を供給するラック駆動装置）を除けば、運動機構全体のカプセリングが達成できる。即ち運動機構全体は、互いに嵌合している差し込み部分の間の空間にある。プラグ結合部の全長にわたって延び、刃状板として形成された差し込み部分のなかで案内されるスライダを移動させると、スライダの直線運動は、プラグ装置に応じて鉛直方向の運動に転換され、或いはいずれの場合にもスライダの運動方向（両差し込み部分の長手方向）にたいして垂直な運動に転換される。このために、突出するスライダウェブに設けられる少なくとも一つの、斜めに延びる長穴が用いられる。長穴は、横ピンとの係合により、スライダにたいして対応する運動を強制的に与える。連結リンクの終端位置においては、弾性接点と刃状接点との間に接触短絡が形成される。
【０００８】
本発明の有利な構成によれば、縦長角体状で、横断面がＵ字状に形成された刃状板差し込み部分は、その開口側を、該差し込み部分に対向し形状が適合するように横断面がＵ字状に形成された弾性板差し込み部分に差し込まれている。
【０００９】
スライダウェブが、互いに間隔を持って直列に配置され斜めに傾斜している二つの長穴を備えるように構成され、これら二つの長穴がそれぞれ連結リンクの横ピンを収容しているのが有利である。これによって達成される二点案内はスライダの運動を安定させ、長穴内でスライダウェブ上を移動可能な連結リンクを一様に上へ押したり、押し離したりする。
【００１０】
本発明の有利な構成によれば、弾性板差し込み部分の弾性接点に、連結リンクに設けられる案内スリットが付設され、該案内スリットが、弾性接点に接しているスリット壁に、接触運動方向に上昇する傾斜部を備えるように構成されている。傾斜部が昇り勾配で延びているので、弾性接点の耳状に形成された頭部の屈曲した弾性細条部は、対応する刃状接点にたいして次第に強く押圧される。この場合、弾性接点と刃状接点との小さな摩擦運動は、腐食表面の際に有利である。弾性接点が傾斜部を乗り越えると、弾性接点は対応する刃状接点に接し、よって接触接続が行なわれる。
【００１１】
傾斜部のあとに、終端位置において弾性接点をロックする窪みが配置されていれば、例えば振動に影響されずに終端位置を固定でき、よって所望の良好な確実な接触が達成される。
【００１２】
本発明の有利な構成によれば、刃状接点の下端は、刃状板差し込み部分のケーシングの下縁のすぐ近くまで達している。従って、弾性板差し込み部分と刃状板差し込み部分とを嵌合させるときに刃状接点が変形する危険が減少し、或いは完全になくなる。なぜなら、刃状接点はケーシング下縁近くまで達するような長さを持っているので、この長さに対応する距離にわたって刃状接点は刃状板差し込み部分の内壁または刃状板接触ケーシングの内壁で支持されるからである。
【００１３】
【実施例】
次に、本発明の実施例を添付の図面を用いて説明する。
簡易操作型電気接触プラグ装置１は、弾性板（例えばばね板）として構成され弾性接点２（例えばばね接点）を備えている差し込み部分３と、刃状接点４を備えている差し込み部分（刃状板）５から構成されている（図２，図４及び図６を参照）。縦長角体状で、横断面がＵ字状の差し込み部分５は、その開口側を該差し込み部分５に対向し形状が適合している（即ち横断面がＵ字状の）弾性板差し込み部分３に差し込まれ、その結果外部にたいして閉じている接触プラグ装置１が形成される。
【００１４】
弾性板差し込み部分３の底部６には、弾性板差し込み部分３の長手方向に全長にわたって延びている縦溝７が配置され、この縦溝７は、該縦溝にたいして直角に延び且つ差し込み状態で刃状板差し込み部分５のほうへ開口する貫通スリット８を備えている。縦溝７内では、横断面がＴ字状のスライダ１０のスライダ足部９が案内されている。スライダ１０は、そのスライダウェブ１１が貫通スリット８を貫通し且つ刃状板差し込み部分５の方向へ突出している。スライダウェブ１１は、互いに間隔を持って直列に配置され且つ斜めに延びている二つの長穴１２，１３を備えて構成されている。長穴１２，１３はそれぞれ、連結リンクもしくはスライドブロック１５の横ピン１４を収容している。連結リンク１５は、弾性接点２及び刃状接点４が設けられている数量に応じて長手方向に配分される案内スリット１６を備え（図５を参照）、この案内スリット１６に弾性接点２が挿入されている。
【００１５】
連結リンク１５の案内スリット１６のなかに挿入されている、弾性接点２の頭部端は、耳状に形成されている。即ち頭部端は、その折り曲げられている自由な弾性細条部１７が連結リンク１５の案内スリット１６の対向するスリット壁１８に接触している。スリット壁１８は、接触運動方向（図２，図４及び図６の矢印１９を参照）に上昇している傾斜部２０（図４を参照）を備えて構成されている。傾斜部２０には、いくぶん間隔を持って、接触終端位置を決定する壁凹部または窪み２１（図２及び図６を参照）が接続している。
【００１６】
図７に図示した本発明による簡易操作型接触プラグ装置の変形実施例（図４と同様に接触位置を示している）では、弾性接点１０２は図６までの実施例に比べると、１８０°転向されており、その結果この変形例では、耳状に折り曲げられた自由な弾性細条部１１７は、この例でも刃状板差し込み部分５のケーシングの下縁２５付近まで達している、即ちその直前で終わっている刃状接点４に接しており、この刃状接点４を刃状板差し込み部分５のケーシング内壁にたいして押圧させている。弾性接点差し込み部分３と刃状接点差し込み部分（刃状板）５とを互いに嵌合させるときに弾性接点１０２を連結リンク１１５の案内スリット１６のなかへ接触点まで誘導する傾斜部１２０は、連結リンク１１５に形成されている。
【００１７】
図１と図２、或いは図５と図６に図示されている位置では（図５及び図６が図１及び図２と異なるのは、単に弾性板差し込み部分３と刃状板差し込み部分５とを９０°回転させただけである）、刃状接点４は弾性接点２と接触していない。即ち弾性接点２の弾性細条部１７は、これに付設される連結リンク１５の案内スリット１６のスリット壁１８に接している。この場合、スライダウェブ１１の長穴１２，１３に収容されている連結リンク１５の横ピン１４は、図１に図示した、長穴１２，１３の左上端の位置を占めている。
【００１８】
図８に図示した実施例によれば、接触を行なわせるために、外部から接近しにくいようにケーシング２２内、例えば自動車の計器盤表示部に配置される簡易操作型接触プラグ装置１は、スライダ１０に枢着され操作人によって操作される操作レバー２３を介して、作動位置にもたらされる。図１及び図８に図示した二重矢印２４（スライダ１０の運動方向、すなわち両差し込み部分３，５の長手方向を示す）において左側方向へスライダ１０が運動するように操作レバー２３を回動させることによりスライダ１０が縦溝７内で変位して、スライダ１０は運動方向において左側へ、接触プラグ装置１の嵌合されているケーシングから突出する。この場合連結リンク１５の横ピン１４は、図３に示すように長穴１２，１３内で強制的に案内されて下方へ変位する。即ち横ピン１４は、長穴１２，１３の斜めに延びている部分以外のまっすぐな端部部分に位置する。
【００１９】
スライダ１０が上記の直線運動を行なうのと同時に、スライダ１０の運動方向２４にたいして直角の運動方向を持つ連結リンク１５は下方へ（図４を参照）または図６の組立て位置から左側へ移動する。その際弾性接点２の弾性細条部１７は、案内スリット１６のスリット壁１８の傾斜部２０にたいして移動し、傾斜部２０を乗り越えると、その自由端が終端位置を決定する窪み２１に係合する（図４を参照）。この終端位置において弾性接点２と刃状接点４との完全な接触接続が形成される。図１と図３の二重矢印２４において右側へ操作レバー２３が付勢されて初めて接触が再び遮断される。連結リンク１５を、弾性板差し込み部分３と刃状板差し込み部分５との間に形成される自由空間内で強制案内によって長穴１２，１３内をスライダウェブ１１に沿って上下動或いは往復動させることにより、直線運動可能なスライダ１０を操作したときに接触接続の断続を行なうことができる。
【図面の簡単な説明】
【図１】本発明による簡易操作型電気接触プラグ装置を、両差し込み部分を嵌合させた状態で非接触位置において示した部分断面側面図である。
【図２】図１の線ＩＩ−ＩＩによる拡大断面図である。
【図３】図１の簡易操作型電気接触プラグ装置を接触位置において示した図である。
【図４】図３の線ＩＶ−ＩＶによる拡大断面図である。
【図５】図６の線Ｖ−Ｖによる断面図である。
【図６】図１の実施例に比べて９０°右回転させた簡易操作型電気接触プラグ装置を、図５に比べて拡大して示した図である。
【図７】図１に図示した簡易操作型電気接触プラグ装置の変形例の横断面図である。
【図８】本発明による簡易操作型電気接触プラグ装置の取付け例を示す図である。
【符号の説明】
１    簡易操作型電気接触プラグ装置
２；１０２    弾性接点                ３    差し込み部分
４    刃状接点                        ５    差し込み部分
７    長溝                            ９    スライダ足部
１０  スライダ                        １１  スライダウェブ
１２，１３    長穴                    １４  横ピン
１５；１１５  連結リンク              １６  案内スリット
１８  スリット壁                      ２０  傾斜部
２１  窪み
【図１】
0003756977.tif 000002
【図２】
0003756977.tif 000003
【図３】
0003756977.tif 000004
【図４】
0003756977.tif 000005
【図５】
0003756977.tif 000006
【図６】
0003756977.tif 000007
【図７】
0003756977.tif 000008
【図８】
0003756977.tif 000009